(57)【特許請求の範囲】
【請求項１】
ＣＡＴＶセンタと、
加入者宅近傍に設置され、ＣＡＴＶ伝送路を通して該ＣＡＴＶセンタに接続されるＣＡＴＶセンタ側無線送受信機と、
該ＣＡＴＶ加入者宅に設置され、該ＣＡＴＶセンタ側無線送受信機から送信されるＣＡＴＶ映像信号を受信する加入者宅側無線送受信機を
有し、
該ＣＡＴＶセンタ側無線送受信機は、複数のチャネル帯域をアップコンバートした側帯波と、該側帯波より大きいレベルの局部発振信号を同時に前記加入者宅側無線送受信機に送信し、該加入者宅側無線送受信機は、該側帯波と該局部発振信号を別個に選択受信した後に混合し、中間周波数にダウンコンバートすることを特徴とする無線ＣＡＴＶ映像信号伝送システム。
【請求項２】
請求項１において、
前記加入者宅側無線送受信機で受信した局部発振信号を、該加入者宅側無線送受信機から前記ＣＡＴＶセンタ側無線送受信機に信号を送信する際の送信用局部発振信号とすることを特徴とする無線ＣＡＴＶ映像信号伝送システム。
【請求項３】
請求項１又は２において、
前記局部発振信号に挟帯域変調信号を重畳して制御情報を送ることを特徴とする無線ＣＡＴＶ映像信号伝送システム。
【請求項４】
請求項３において、
前記加入者宅側無線送受信機から送られる制御情報により加入者の要求するチャネルの選択要求を行うことを特徴とする無線ＣＡＴＶ映像信号伝送システム。
【請求項５】
請求項３において、
前記加入者宅側無線送受信機から送られる制御情報により前記ＣＡＴＶセンタ側無線送受信機の局部発振周波数を可変制御することを特徴とする無線ＣＡＴＶ映像信号伝送システム。
【請求項６】
請求項５において、
更に、前記ＣＡＴＶセンタ側無線送受信機に,
前記可変制御される局部発振周波数によりＣＡＴＶ映像信号を変調する変調器と，
該変調器の出力を入力し，固定通過周波数の送信信号を送信アンテナ側に供給する送信用帯域フィルタを有することを特徴とする無線ＣＡＴＶ映像信号伝送システム。
【請求項７】
請求項６において、
前記送信用帯域フィルタの固定通過周波数を加入者毎に別個に割り当てることを特徴とする無線ＣＡＴＶ映像信号伝送システム。
【請求項８】
請求項２において、
前記加入者宅側無線送受信に注入同期発振器を備え、該加入者宅側無線送受信機で受信した局部発振信号を該注入同期発振器に注入することを特徴とする無線ＣＡＴＶ映像信号伝送システム。
【発明の詳細な説明】
【０００１】
【発明の属する技術分野】
本発明は、無線ＣＡＴＶ映像信号伝送システムに関し、特に同軸ケーブル又は光ファイバケーブルにより送られる画像、デジタル信号をＣＡＴＶネットワークシステムの中継端子から無線で加入者宅内に伝送する無線ＣＡＴＶ映像信号伝送システムに関する。
【０００２】
【従来の技術】
近年、多チャンネル、高品質画像及びデジタル信号の受信を目的として同軸ケーブル又は光ファイバケーブルを通してセンタと加入者宅を繋ぐＣＡＴＶ映像信号伝送システムが普及している。
【０００３】
図１０は、現状におけるＣＡＴＶ映像信号伝送システムの概略システム構成図である。ＣＡＴＶ映像信号伝送システムとして、上り、下り用にそれぞれ光ファイバ１１、同軸ケーブル１２で主伝送路が形成されている。
【０００４】
主伝送路途中には、必要間隔で双方向増幅器１３が配置されている。更に、加入者宅２には、タップオフ３により主伝送路から分岐伝送路１４が延び加入者宅２の保安器４に繋がる。更に、保安器４には加入者宅２内に備えられるホームターミナル２１、デジタルトップセット２２、電話セットトップ等が接続される。
【０００５】
図１１は、図１０に示すごときＣＡＴＶ映像信号伝送システムにおける信号の周波数配置を説明する図である。ＣＡＴＶセンタ１から加入者宅２に向かう下り方向の信号、例えば７３チャンネル分のアナログ映像信号が７０−５５０ＭＨｚの周波数帯域で配置される。更に、５５０−７５０ＭＨｚの周波数帯域で３３キャリアのデジタル映像信号が送られる。
【０００６】
又、加入者宅２からＣＡＴＶセンタ１に向かう７チャンネル分の上り映像信号は、１０−５５ＭＨｚの帯域に配置される。
【０００７】
このような、現状のＣＡＴＶ映像信号伝送システムにおいて、１加入者毎にタップオフ３により主伝送路から分岐伝送路１４が延び加入者宅２の保安器４に繋がる。タップオフ３と加入者宅２の保安器４の間は、３０ｍ程度までの長さが許容される。
【０００８】
ここで上記光ファイバ１１、同軸ケーブル１２で形成される主伝送路は、一般に電柱を支柱として張り巡らされている。したがって、電柱の無い地域にＣＡＴＶ映像信号伝送システムを導入する場合は、個々の加入者宅近傍に新たに支柱を設けることが必要である。更には、景観を保存する上で支柱を増やすことが好ましくない場合がある。
【０００９】
特に集合住宅にＣＡＴＶ映像信号を配信する場合において、既に集合住宅内で各戸への伝送路が配線されている場合は容易であるが、そうでない場合は各戸に対し、タップオフから引き込み用に分岐伝送路１４を接続する必要が生じる。かかる場合は、コストと景観上の問題が著しく生じる。
【００１０】
更に、双方向ＣＡＴＶシステムにおいて、加入者が集合住宅である場合は、各加入者からの制御信号が混合器を通してＣＡＴＶセンタに向けて送られるので雑音が累積するという問題がある。
【００１１】
【発明が解決しようとする課題】
従って、本発明の目的は加入者宅に対し、タップオフからの引き込み用分岐伝送路を接続する必要性をなくしたＣＡＴＶ映像信号伝送システムを提供することにある。
【００１２】
更に本発明は、電柱無し地域へも低コストでＣＡＴＶ映像信号を伝送することを可能とするＣＡＴＶ映像信号伝送システムを提供することにある。
【００１３】
また、双方向通信を行う場合であっても集合住宅において生じる流合雑音を軽減できるＣＡＴＶ映像信号伝送システムを提供することにある。
【００１４】
【課題を解決するための手段】
上記の本発明の課題を達成するＣＡＴＶ映像信号伝送システムの基本構成は、ＣＡＴＶセンタと、加入者宅近傍に設置され、ＣＡＴＶ伝送路を通して該ＣＡＴＶセンタに接続されるＣＡＴＶセンタ側無線送受信機と、ＣＡＴＶ加入者宅に設置され、ＣＡＴＶセンタ側無線送受信機から送信されるＣＡＴＶ映像を受信する加入者宅側無線送受信機を有する。
【００１５】
そして、前記ＣＡＴＶセンタ側無線送受信機は、複数のチャネル帯域をアップコンバートした側帯波と、側帯波より大きいレベルの局部発振信号を同時に前記加入者宅側無線送受信機に送信し、加入者宅側無線送受信機は、側帯波と該局部発振信号を別個に選択増幅した後に混合し、中間周波数にダウンコンバートする。
【００１６】
従って、前記加入者宅側無線送受信機で受信した局部発振信号を、加入者宅側無線送受信機から前記ＣＡＴＶセンタ側無線送受信機に信号を送信する際の送信用局部発振信号とする様に構成できる。これにより加入者宅側無線送受信機の局部発振回路を簡易にすることができる。
【００１７】
前記局部発振信号に挟帯域変調信号を重畳して制御情報を送る構成とすることができる。この場合、前記加入者宅側無線送受信機から送られる制御情報により加入者の要求するチャネルの選択要求を行う様に構成することが可能である。
【００１８】
また、前記加入者宅側無線送受信機から送られる制御情報により前記ＣＡＴＶセンタ側無線送受信機の局部発振周波数を可変制御する様に構成し、更に固定通過周波数の送信用帯域フィルタを有する構成とすることが可能である。この場合、前記送信用帯域フィルタの固定通過周波数を加入者毎に別個に割り当てることにより加入者毎に必要とするチャンネルを含む帯域信号を送信することができ、且つＣＡＴＶセンタ側無線送受信機の送信パワーを低減することができる。
【００１９】
更に、前記加入者宅側無線送受信に注入同期発振器を備え、加入者宅側無線送受信機で受信した局部発振信号を注入同期発振器に注入することにより局部発振信号を増幅して活用することができるのでＣＡＴＶセンタ側無線送受信機と加入者宅側無線送受信機間の伝送距離を大きくすることが可能である。
【００２０】
【発明の実施の形態】
以下本発明の実施の形態を図面に従い説明する。尚、図において同一又は類似のものには同一の参照番号又は、参照記号を付して説明する。
【００２１】
図１は、本発明のＣＡＴＶ映像信号伝送システムにおける特徴を説明する図である。図１において、およそ１００ｍ半径の加入者集合地域毎に１本の電柱等の支柱１０が設置され、それぞれの支柱１０には柱上機５が必要により２５台程度まで設置される。柱上機５は、実施例としてミリ波帯の無線送受信機である。従って、以降柱上機５が置かれている状態の支柱１０を無線タワーと呼ぶ。
【００２２】
柱上機５は、同軸のＣＡＴＶ主伝送路を通してＣＡＴＶセンタ１に接続される。従って、以下柱上機５をＣＡＴＶセンタ側無線送受信機という。一方、各加入者宅２には、ＣＡＴＶセンタ側無線送受信機５と通信を行う軒先機６（以下加入者宅側無線送受信機という）が配置される。
【００２３】
本発明において、ＣＡＴＶセンタ側無線送受信機５と加入者側無線送受信機６とがミリ波通信を行う場合、伝搬距離は１００ｍ程度まで可能である。従って、図１０で説明したように現状のシステムにおいてタップオフ３と加入者宅２との間が３０ｍ程度となる場合に比べ、距離を大きくすることができる。したがって、無線タワー１０の数も現状システムに比べ、少なくできる。
【００２４】
更に、集合住宅の加入者宅を考えると、加入者宅毎にベランダ等に加入者側無線送受信機６を置くことにより容易にＣＡＴＶセンタ側無線送受信機５と個々に通信を行うことができる。
【００２５】
図２は、ＣＡＴＶセンタ側無線送受信機５と加入者側無線送受信機６の関係をより具体的に説明する図である。無線タワー１０に設置される複数の柱上機即ち、ＣＡＴＶセンタ側無線送受信機５の大きさは、およそ縦、横、高さが１５ｃｍである。
【００２６】
一方、加入者宅２の軒下等に配置される加入者側無線送受信機６の大きさもＣＡＴＶセンタ側無線送受信機５と同様である。更に、ＣＡＴＶセンタ側無線送受信機５及び加入者側無線送受信機６は、それぞれ対向してミリ波信号送受信用アンテナ部５０，６０を有する。
【００２７】
図２（ｂ）には、上り、下り方向の信号帯域が示されている。ＣＡＴＶセンタ側無線送受信機５から加入者宅２の加入者側無線送受信機６に向けて送られる下り方向の信号は、ＣＡＴＶセンタからの複数チャネル帯域信号をアップコンバートした側帯波であり、それぞれ６ＭＨｚ帯域幅を有する映像信号と制御信号を１チャンネル分ずつ有する。
【００２８】
更に、加入者宅２の加入者側無線送受信機６からＣＡＴＶセンタ側無線送受信機５に送られる上り方向の信号は、制御信号を１チャンネル分有する。
【００２９】
図３は、本発明に従う双方向のＣＡＴＶ映像信号伝送システムに使用される上記ＣＡＴＶセンタ側無線送受信機５（図３（ａ））と加入者側無線送受信機６（図３（ｂ））の実施の形態例ブロック図である。
【００３０】
図３（ａ）において、タップオフあるいはＣＡＴＶ中継端子３により分岐された複数チャンネル帯域を有する下り信号は、帯域フィルタ５０を通り、変調器５１に入力される。変調器５１において、下り信号は、送信側局部発振器５２からの局部発振信号により高周波帯域にアップコンバートされるとともに補助信号により振幅変調がかけられる。ついで帯域フィルタ５３によりＳＳＢ信号が出力され、アンテナＧ１  により加入者側無線送受信機６に向けて放射される。
【００３１】
一方、図３（ｂ）において、加入者側無線送受信機６は、アンテナＧ２  により複数チャンネルの側帯波信号を受信し、帯域フィルタ６０を通り周波数変換器６１に入力する。周波数変換器６１において、受信側局部発振器６２からの局部発振信号により複数チャンネルの側帯波信号は、中間周波数にダウンコンバートされる。中間周波数に変換された複数チャンネルの受信信号は、ディテクタ６３で検知され、変復調器６４でベースバンド映像信号と制御信号に復調される。
【００３２】
更に、加入者側無線送受信機６からＣＡＴＶセンタ側無線送受信機５に制御信号を送る場合は、図３（ａ）において、実施例としてモデム６４で制御信号を６４値ＱＡＭに変調する。
【００３３】
この６４値ＱＡＭの制御信号は、局部発振器６５の局部発振信号により振幅変調器６６で周波数変換され、帯域フィルタ６７を通り、アンテナＧ４  にＣＡＴＶセンタ側無線送受信機５に向けて送信される。
【００３４】
図３（ａ）に戻ると、ＣＡＴＶセンタ側無線送受信機５は、アンテナＧ３  で加入者側無線送受信機６から送られる制御信号を受信し、帯域フィルタ５４を通して周波数変換器５６に入力する。ここで、局部発振器５５の局部発振信号により受信制御信号をダウンコンバートし、低域フィルタ５７を通し、且つＣＡＴＶ中継端子３を通してＣＡＴＶセンタ１に向けＣＡＴＶ伝送路に送り出す。
【００３５】
かかる図３のＣＡＴＶセンタ側無線送受信機５及び加入者側無線送受信機６を用いることにより、本発明によりタップオフ３からの引き込み用分岐伝送路１４を接続する必要性をなくしたＣＡＴＶ映像信号伝送システムが提供される。従って電柱無し地域へも低コストでＣＡＴＶ映像信号を伝送することが可能である。
【００３６】
ここで、図３の実施の形態を考察すると、ＣＡＴＶセンタ側無線送受信機５及び加入者側無線送受信機６共にそれぞれ局部発振器を有し、受信した局部発振信号をそのまま変調して送り返す方式である。従って、広帯域な映像情報の伝送には不向きである。
【００３７】
一方、加入者宅２に備えられる映像復調器が、例えばＭＰＥＧ−２デコーダである場合等は、ＣＡＴＶセンタ側無線送受信機５から加入者側無線送受信機６に送られる信号のキャリア周波数の安定度が、例えば６４ＱＡＭ信号である時、±２０ＫＨｚ以内であることが望まれる。
【００３８】
従って、送信、受信とも局部発振信号の発振器を高安定（ミリ波ではΔｆ〜１０−８）にする必要がある。
【００３９】
図４は、局発信号発振器の構成例であり、図４（ａ）に示す発振器５２０のみでは、高々〜１０−４の安定性である。これに対し、図４（ｂ）の構成は、水晶発振器５２１と分周器５２３の分周出力とを位相比較器５２２で位相比較し、位相比較出力で電圧制御発振器５２０の発振周波数を制御するようにしている。
【００４０】
かかる図４（ｂ）の構成により〜１０−７の安定度が得られる。しかし、構成が複雑となり大型化し、且つ高価格となる。更に、多量な映像情報を配信するにはＣＡＴＶセンタ側無線送受信機５及び加入者側無線送受信機６間の通信にミリ波帯域を必要とすることは避けられない。ミリ波帯域における周波数安定度の高い（Δｆ〜１０−５以下）発振器では更に高価格となる。
【００４１】
しかも、加入者側無線送受信機６に周波数安定度の高い高価な発振器を要求することとなり有利でない。
【００４２】
図５は、かかる構成の複雑さ及び高価格となる第１の実施の形態における不都合を解決する本発明の第２の実施の形態におけるＣＡＴＶセンタ側無線送受信機５及び加入者側無線送受信機６の構成例ブロック図である。
【００４３】
図５の実施の形態では、ＣＡＴＶセンタ側無線送受信機５から、ＣＡＴＶセンタ１からの複数チャンネル帯域信号を高周波にアップコンバートした側帯波と、同時に側帯波よりレベルの大きい局部発振信号を加入者宅側無線送受信機６に送り、加入者宅側無線送受信機６では側帯波と局部発振信号を別々に選択受信し、これを混合して中間周波数にダウンコンバートすることが基本的特徴である。
【００４４】
更に、ＣＡＴＶセンタ側無線送受信機５の送信パワーを小さくするためにＣＡＴＶセンタ１から送られる複数チャンネル帯域信号の帯域幅を加入者において必要とするチャンネルの帯域幅に制限して送信するように構成されている。
【００４５】
このために、ＣＡＴＶセンタ側無線送受信機５において、図３と比較すると送信側局部発振器５２の局部発振信号の周波数が可変可能である。中継端子３により分岐された下り信号は、帯域フィルタ５０を通り、周波数変換器５１に入力される。周波数変換器５１において下り映像信号（図６（ａ）参照）は、送信側局部発振器５２からの局部発振信号により変調されアップコンバートされる。ついで帯域フィルタ５３を通り、側帯波信号がアンテナＧ１  により加入者側無線送受信機６に向けて送り出される。
【００４６】
送信側局部発振器５２からの局部発振信号は同時に帯域フィルタ５３１を通り、アンテナＧ５  を通して加入者側無線送受信機６に向けて送り出される。
【００４７】
したがって、アンテナＧ１  及びアンテナＧ５  から送り出される下り信号の周波数配置は、図６（ｂ）に示すように局部発振信号（Ｓ１）と映像信号（Ｓ２）となる。
【００４８】
加入者側無線送受信機６は、図３の例と同様にアンテナＧ２  により映像信号の側帯波を受信し、帯域フィルタ６０を通り周波数変換器６１に入力する。又、アンテナＧ５  により送信される送信側局部発振器５２からの局部発振信号を受信し、帯域フィルタ６８を通し、周波数変換器６１に入力する。
【００４９】
従って、周波数変換器６１において、受信した側帯波及び局部発振信号を混合してダウンコンバートすることにより受信信号を中間周波数に変換する。中間周波数に変換された受信信号は、図５においては図示されていないディテクタで検知され、更にベースバンド映像信号と制御信号に復調される。
【００５０】
尚、加入者側無線送受信機６において、注入同期発信器を用い、受信した局部発振信号を注入することにより、加入者側の受信機用の局部発振信号のレベルを増幅することができるのでＣＡＴＶセンタ側送受信機５と加入者側送受信機６間の伝送距離を増加できる。
【００５１】
ここで、加入者側無線送受信機６は、ＣＡＴＶ映像信号の全帯域を同時に受信する必要はない。即ち、加入者の選択するチャンネルの帯域幅を受信できれば良い。このために、図５の加入者側無線送受信機６には、固定局部発振信号の発振器６５０を備え、これに制御信号ＣＯＮＴを混合回路６９で混合してアンテナＧ4 からＣＡＴＶセンタ側無線送受信機５に送る。
【００５２】
尚、この固定局部発振信号の周波数を加入者毎に異なるものとすることにより加入者を識別することができる。
【００５３】
ＣＡＴＶセンタ側無線送受信機５ではアンテナＧ３  で信号を受信し、帯域フィルタ５４を通して位相検出器５６０において位相制御される。更に帯域フィルタ５７を通して制御信号復調器５８に入力する。
【００５４】
制御信号復調器５８は、ＣＡＴＶセンタ側から送られた制御信号と、加入者側無線送受信機６から送られた制御信号を受信復調して周波数制御回路５９に制御信号に対応する大きさの信号を送る。周波数制御回路５９は、制御信号に対応して可変周波数の局部発振信号発振器５２を制御する。
【００５５】
したがって、可変局発信号発振器５２は、制御信号に対応した周波数の局部発振信号を出力する。これにより帯域フィルタ５０から出力されるＣＡＴＶ映像信号を変調器５１において変調出力する。変調器５１からの変調された信号は帯域フィルタ５３を通して出力される。これにより、アンテナＧ１  から放射される信号の周波数帯域は、帯域フィルタ５３の通過帯域幅に一致する。
【００５６】
かかる様子を図７により説明する。図７において、ＣＡＴＶｆｒは、タップオフ３から分岐される映像信号の周波数帯域である。図７において、それぞれ可変局発信号発振器５２からの局部発振信号ｆ1 、ｆ2 、ｆ3 により変調器５１により周波数変換されて周波数帯域がシフトされた状態が示される。
【００５７】
更に図７において、ＢＰＦ−Ｔは、帯域フィルタ５３の通過帯域である。したがって、帯域フィルタ５３の通過帯域幅は一定であるから、アンテナＧ１  から送り出される映像信号は、局部発振信号により周波数シフトされた固定の周波数帯域幅を持つ。
【００５８】
このように、図５の実施の形態では、加入者側無線送受信機６において、映像信号と局発信号を選択的に独立して受信する。そして、受信された局部発振信号を受信側の中間周波数への変換のための局部発振信号としている。
【００５９】
したがって、加入者側無線送受信機６は、局部発振信号の発振器を必要とせず装置の小型化が可能である。更に、局部発振信号の安定度はＣＡＴＶセンタ側無線送受信機５の局部発振信号の発振器５２の精度に依存させることができる。
【００６０】
更に、ＣＡＴＶセンタ側無線送受信機５は、加入者側で必要とする帯域を選択して送信するので送信機のパワーを削減することができる。
【００６１】
図８は、更に別の実施の形態であり、局部発振信号Ｓ１  を挟帯域変調信号例えば、三角波信号Ｓ１１により変調して送信するようにしている。
【００６２】
即ち、図８（ａ）のＳ１  は、ＣＡＴＶセンタ側無線送受信機５から送られる局部発振信号Ｓ１  であり、挟帯域変調信号として三角波信号にＳ１１により変調される。図８（ａ）でＳ２  は複数チャンネル信号である。更に、図８（ｂ）は、加入者側無線送受信機６から送られる制御信号としての局部発振信号を三角波の挟帯域変調信号で変調することを示している。このように構成することにより変調器の簡素化が可能である。
【００６３】
更に、加入者側無線送受信機６では、ＣＡＴＶセンタ側無線送受信機５から送られる三角波の挟帯域変調信号を、ＣＡＴＶセンタ側無線送受信機５に送信すべき制御信号の変調信号としてそのまま使用することも可能である。かかる場合は、加入者側無線送受信機６における局部発振回路を簡素化することができる。
【００６４】
図９は、かかる加入者側無線送受信機６から制御信号を送る際に、ＣＡＴＶセンタ側無線送受信機５から送られる三角波挟帯域変調信号をそのまま使用する例を説明する図である。
【００６５】
図９（ａ）において、ＩＦ帯発振器６５１から出力される制御信号ＣＳ（図９（ｂ）の破線）と図５の加入者側無線送受信機６の帯域フィルタ６８から得られるＣＡＴＶセンタ側無線送受信機５から送られた挟帯域変調信号Ｓ１１（図９（ｂ）の三角波部分）が、混合器６６で混合されアップコンバートされる。次いで、帯域フィルタ６７を通して側帯波としてアンテナＧ４  により放射される。
【００６６】
【発明の効果】
以上図面に従い説明したように、本発明によりタップオフからの引き込み用分岐伝送路を接続する必要性をなくしたＣＡＴＶ映像信号伝送システムが提供される。
【００６７】
従って、本発明により電柱無し地域へも低コストでＣＡＴＶ映像信号を伝送することを可能とし、且つ双方向通信を行う場合であっても集合住宅において生じる流合雑音軽減することができる。
【図面の簡単な説明】
【図１】本発明のＣＡＴＶ映像信号伝送システムにおける特徴を説明する図である。
【図２】ＣＡＴＶセンタ側無線送受信機５と加入者側無線送受信機６の関係を更に説明する図である。
【図３】本発明に従う双方向のＣＡＴＶ映像信号伝送システムに使用されるＣＡＴＶセンタ側無線送受信機５と加入者側無線送受信機６の実施の形態例ブロック図である。
【図４】局発信号発振器の構成例ブロック図である。
【図５】本発明の第二の実施の形態におけるＣＡＴＶセンタ側無線送受信機５及び加入者側無線送受信機６の構成ブロック図である。
【図６】本発明のＣＡＴＶ映像信号伝送システムにおける信号の周波数配置を説明する図である。
【図７】ＣＡＴＶセンタ側無線送受信機５の送信信号の周波数帯域を帯域フィルタの帯域幅に制限する場合について説明する図である。
【図８】局部発振信号を挟帯域変調信号とする本発明に従う別の実施の形態であある。
【図９】加入者側無線送受信機６から制御信号を送る際に、ＣＡＴＶセンタ側無線送受信機５から送られる挟帯域変調信号をそのまま使用する例を説明する図である。
【図１０】現状におけるＣＡＴＶ映像信号伝送システムの概略システム構成図である。
【図１１】図１０に示すごときＣＡＴＶ映像信号伝送システムにおける信号の周波数配置を説明する図である。
【符号の説明】
１  ＣＡＴＶセンタ
２  加入者宅
３  タップオフ
４    保安器
５    ＣＡＴＶセンタ側無線送受信機
６    加入者宅側無線送受信機
１０    無線タワー
【図１】
0003601943.tif 000002
【図２】
0003601943.tif 000003
【図３】
0003601943.tif 000004
【図４】
0003601943.tif 000005
【図５】
0003601943.tif 000006
【図６】
0003601943.tif 000007
【図７】
0003601943.tif 000008
【図８】
0003601943.tif 000009
【図９】
0003601943.tif 000010
【図１０】
0003601943.tif 000011
【図１１】
0003601943.tif 000012